(57)【要約】      （修正有）【解決手段】本脱着型陳列ケースは、基本的に上部ケース１と下部ケース２とから構成され、このうち下部ケース２は、複数段の引出し部３を有して前記上部ケース１の台座の働きを成している。また、上記上部ケース１の陳列部１５の背面側に、樹脂製の透明部材３３を介して裏面の壁材との間に照明部３６を設けている。この照明部３６には、上下の照明具基台１６，１７を左右に２個づつ配置し、その上に縦型照明具１０，１１、１２、１３を取付けて前記棚部５の上に載置する貴金属（図示せず）を背面から照射する。【効果】ニ分割出来るために上下の分離が簡易に出来、力を掛けなくても容易に搬送が可能である。台座を兼ねる下部ケースには複数の引出しを設け、貴金属の種類毎に分類して収容することが出来、当初の準備が簡易になり、移動販売時の途中において商品の交換をする必要がない。【選択図】図４
2007054496.tif 000002
【特許請求の範囲】
【請求項１】
上下の箱体を重ね合わせて一体化する陳列ケースであって、下部箱体は、少なくとも１以上の引き出し部を有する台座であり、
上部箱体は、箱体本体の下部側に前記下部箱体の上部に被着される逆Ｌ字状の窪み部を有すると共に、箱体本体の上部側に複数の陳列棚を設けた陳列棚部と照明器具を内蔵する照明部とを透明部材を介して配置し、更に、前記陳列棚部上面に第２照明具を取付けてなることを特徴とする脱着型陳列ケース。
【請求項２】
前記上下の箱体は、上部箱体の逆Ｌ字状の窪み部上面に取付けられた複数の固定具の先端が、下部箱体の上面に設けられた窪み穴に嵌合して脱着固定することを特徴とする請求項１記載の脱着型陳列ケース。
【請求項３】
前記箱体本体の上部側に設けれる陳列棚は、左右の箱体側板に取り付けられた左右平行位置の固定ピンで平板の側端部を載置することを特徴とする請求項１記載の脱着型陳列ケース。
【請求項４】
前記箱体本体の上部側に設けれる陳列棚の下に、矩形状上板と側板と裏板とを有する基台と、該基台内部に位置してネックレス等を陳列する陳列部を有する引出部とから構成され、前記引出部は基台上を前後に出し入れ可能であるように底部には、前記基台上に設けられた底引きスライドレールの上を移動する金属板を設けている陳列ケースを載置することを特徴とする請求項１記載の脱着型陳列ケース。
【請求項５】
前記請求項４の陳列ケースの引出部は、前記矩形状上板の下部に複数のフック部を設けて商品を止める商品止め部と、該商品止め部から入り口方面に傾斜を有する陳列部と、前記基台に鍵止めできる鍵部とを有している陳列ケースを載置することを特徴とする請求１記載の脱着型陳列ケース。
【請求項６】
前記箱体本体の上部側に設けれる陳列棚の下に、基台と、該基台上を移動可能な引出部とから構成され、前記基台は、三方向に外枠を有すると共に、該外枠の内側面に沿って延設する透明ガラスと頂部を覆う透明ガラスとによって空間を形成し、
一方、引出部は、基台の表面に設けられた底引きスライドレールを移動する金属板を底部に固定すると共に、引出板内側面に沿って透明ガラスを延設して、前記基台上の透明ガラスとで密封空間を設けるいる陳列ケースを載置することを特徴とする請求項１記載の脱着型陳列ケース。
【請求項７】
前記請求項６の陳列ケースの引出部の前面には、鍵部を取付けてあり、閉鎖時にはロック鍵が前記基台に設けた鍵穴に固定されることによって引出部の移動を阻止していることを特徴とする請求項９記載の陳列ケース。
【発明の詳細な説明】
【技術分野】
【０００１】
本発明の脱着型陳列ケースは、移動時に箱体本体が上下に二分割されてそれぞれの箱体を運搬可能とし、陳列時においては上下の箱体を重ねて陳列ケースとして用い、上部箱体に設けた照明手段で複数の方向から陳列棚を照明して商品がよく視認出来るようにした脱着型陳列ケースに関するものである。
【背景技術】
【０００２】
一般の陳列ケースは、陳列部のみのケースや逆に引出し内に貴金属を収容するケースと分離されているのが通常であるが、例外的に底部に収容ケースを設け、その上部に、陳列棚を設けている一体型の陳列ケースも知られている。
【０００３】
上記一体型の陳列ケースにおいては、移動時にケース本体の重量が重いために専門家の運搬を必要とし、また展示後の後片づけ等でもすぐにはケース本体を移動出来ないという問題があった。
【０００４】
展示における他の欠点として、従来の一体型ケースでは、底部に設ける引き出し部の容量が少ないことから、引出し部内に予め収容する貴金属の数量が制限され、結果として展示時における展示品の量が少なくなるという問題も併せて有していた。
【０００５】
また、展示の手段としても、従来の一体型ケースでは、上部ケースには平板からなる陳列台、あるいは若干傾斜を有する陳列台を設けてそれらの上に貴金属を並べて展示し、上部に設けた照明具で一部を照明していたが、十分に貴金属商品を視認出来ないという問題があった。
【発明の開示】
【発明が解決しようとする課題】
【０００６】
現在のように移動販売が多いケースにおいては、先ず簡易に移動可能な陳列ケースが望まれていたが、従来の一体型陳列ケースは専門家の搬送仕事となっているためにコストが高く付き、また、何よりも収容するスペースが小さいという課題があった。
【０００７】
また、陳列時の照明も、陳列ケースより室内天井に取付けた照明具での照明に左右されるために、展示箇所によっては色や形が十二分に視認できないという課題を有していた。
【課題を解決するための手段】
【０００８】
本発明者は斯かる課題を解決するために鋭意研究したところ、陳列ケース本体を二分割にして運搬を容易にすると共に、上部ケースの陳列部に複数の照明部を設置して陳列棚の貴金属商品の視認性を高め、一方、下部ケースは台座を兼ね、その引出し部に所望の貴金属を収容可能とした新規な脱着型陳列ケースを提供することができた。
【０００９】
すなわち本発明の第一は、上下の箱体を重ね合わせて一体化する陳列ケースであって、下部箱体は、少なくとも１以上の引き出し部を有する台座であり、
上部箱体は、箱体本体の下部側に前記下部箱体の上部に被着される逆Ｌ字状の窪み部を有すると共に、箱体本体の上部側に複数の陳列棚を設けた陳列棚部と照明器具を内蔵する照明部とを透明部材を介して配置し、更に、前記陳列棚部上面に第２照明具を取付けてなることを特徴とする脱着型陳列ケースである。
【００１０】
本発明の第二は、前記上下の箱体は、上部箱体の逆Ｌ字状の窪み部上面に取付けられた複数の固定具の先端が、下部箱体の上面に設けられた窪み穴に嵌合して脱着固定することを特徴とする請求項１記載の脱着型陳列ケースである。
【００１１】
本発明の第三は、前記箱体本体の上部側に設けれる陳列棚は、左右の箱体側板に取り付けられた左右平行位置の固定ピンで平板の側端部を載置することを特徴とする請求項１記載の脱着型陳列ケースである。
【００１２】
本発明の第四は、前記箱体本体の上部側に設けれる陳列棚の下に、矩形状上板と側板と裏板とを有する基台と、該基台内部に位置してネックレス等を陳列する陳列部を有する引出部とから構成され、前記引出部は基台上を前後に出し入れ可能であるように底部には、前記基台上に設けられた底引きスライドレールの上を移動する金属板を設けている陳列ケースを載置することを特徴とする請求項１記載の脱着型陳列ケースである。
【００１３】
本発明の第五は、前記請求項４の陳列ケースの引出部は、前記矩形状上板の下部に複数のフック部を設けて商品を止める商品止め部と、該商品止め部から入り口方面に傾斜を有する陳列部と、前記基台に鍵止めできる鍵部とを有している陳列ケースを載置することを特徴とする請求１記載の脱着型陳列ケースである。
【００１４】
本発明の第六は、前記箱体本体の上部側に設けれる陳列棚の下に、基台と、該基台上を移動可能な引出部とから構成され、前記基台は、三方向に外枠を有すると共に、該外枠の内側面に沿って延設する透明ガラスと頂部を覆う透明ガラスとによって空間を形成し、
一方、引出部は、基台の表面に設けられた底引きスライドレールを移動する金属板を底部に固定すると共に、引出板内側面に沿って透明ガラスを延設して、前記基台上の透明ガラスとで密封空間を設けるいる陳列ケースを載置することを特徴とする請求項１記載の脱着型陳列ケースである。
【００１５】
本発明の第七は、前記請求項６の陳列ケースの引出部の前面には、鍵部を取付けてあり、閉鎖時にはロック鍵が前記基台に設けた鍵穴に固定されることによって引出部の移動を阻止していることを特徴とする請求項９記載の陳列ケースである。
【発明の効果】
【００１６】
本発明の脱着型陳列ケースは、二分割出来るために上下の分離が簡易に出来、力を掛けなくても容易に搬送が可能となっているために、搬送時の時間を少なくすることができるものである。
【００１７】
台座を兼ねる下部ケースには複数の引出しを設けているために、貴金属の種類毎に分類して収容して展示場目的に合わせて展示物を決めることが出来るために、当初の準備が簡易になり、移動販売時の途中において商品の交換をする必要がなくなるという効果を有する。
【００１８】
上部ケースに複数の照明部を設けているために、陳列部に展示した貴金属商品が容易に視認できるために、顧客への説明が容易になるという効果を併せて有している。
【発明を実施するための最良の形態】
【００１９】
以下に図面をもって詳細に説明するが、本発明の範囲はこれらに限定されるものではない。
【実施例１】
【００２０】
図１は、本発明に係る脱着型陳列ケースの全体を示す斜視図である。本発明の脱着型陳列ケースは、基本的に上部ケース１と下部ケース２とから構成され、このうち下部ケース２は、複数段の引出し部３を有して前記上部ケース１の台座の働きを成している。
【００２１】
上部ケース１は、図２〜図７に示すように全体の形状として、箱体本体の略半分の位置に逆Ｌ字状の窪み部３４を有して上部の陳列部１５と下部の台座載置部３５とに分けられている。上部ケース１の陳列部１５には、左右壁材に沿って平行な棚止め用の固定ビス６が一棚部当たり前後２個づつ３列設けられ、図２及び図４に示すように厚さ10ｍｍのガラス製平板からなる棚部５が前記棚止め用の固定ビス６の位置を替えながら３段設置されている。
【００２２】
また、上記上部ケース１の陳列部１５の背面側に、図４に示すように樹脂製の透明部材３３を介して裏面の壁材との間に照明部３６を設けている。この照明部３６には、上下の照明具基台１６，１７を左右に２個づつ配置し、その上に縦型照明具１０，１１、１２、１３を取付けて前記棚部５の上に載置する貴金属（図示せず）を背面から照射するようにしている。
【００２３】
さらに、図２及び図４に示すように第２照明具９を陳列部１５の前面部に設置して、棚部５の上方から下方に照射することによって棚部５上の貴金属（図示せず）をより視認し易くしている。
【００２４】
上記照明部３６や第２照明具９への電気配線は、図１及び図５に示すように上部ケースの背面側底部設けたコード用の切欠部８に設けた２個のワタリコンセント１４から各照明具に繋がっており、展示場においては、このコンセントへ通常のプラグを差込んで使用できるようになっている。
【００２５】
図７は、上部ケース１と下部ケース２との固定状態を示す部分拡大図であるが、上部ケース１の逆Ｌ字状の窪み部３４には、図７に示すように底面が平面でなく、２段に窪みを有しており、この窪みに嵌合するするように下部ケース２の上面が逆に２段の突起を有して嵌合している。
【００２６】
本実施例では、上下ケース１，２の固定をより確実のものとするために、さらに上部ケース１の底部側に固定具挿入窪み部１９を設け、その窪み部に２個の挿通孔を開け固定具２０，２１を固定し、その固定具の先端が下部ケース２の上面に設けた固定具嵌合孔２２に嵌合するようにしている。
【００２７】
最下段の棚部５の下には、ネックレス用の陳列ケース７が載置されるようになっており、この陳列ケース７は、ネックレスを陳列した陳列部２９を含む陳列台のみを底部に設けた底引きレール３１を利用して基台２３から手前に引き出すことが出来るようにしている。
【００２８】
なお、この陳列ケース７は、矩形状上板２４と側板と裏板とを有する基台２３と、該基台内部に位置してネックレス等を陳列する陳列部２９を有する引出部とから構成され、前記引出部は基台上を前後に出し入れ可能であるように底部には、前記基台２３上に設けられた底引きスライドレール３１の上を移動する金属板（図示せず）を設け、さらに、陳列ケースの引出部は、前記矩形状上板２４の下部に複数のフック部２７を設けて商品を止める商品止め部２６と、該商品止め部２６から入り口方面に傾斜を有する陳列部２９と、前記基台２３に鍵止めできる鍵部３０とを有している陳列ケースである。
【００２９】
図９は、最下段の棚部５の下に載置する別な形態の陳列ケースであって上部四方を透明ガラスで覆った透明な陳列ケース４７を示す斜視図である。この陳列ケース４７は、基台４０と、該基台上を移動可能な引出部４１とから構成され、前記基台４０は、三方向に外枠を有すると共に、該外枠の内側面に沿って延設する透明ガラスと頂部を覆う透明ガラス４３とによって空間を形成し、一方、引出部４１は、基台４０の表面に設けられた底引きスライドレール４６を移動する金属板を底部に固定すると共に、引出板内側面に沿って透明ガラス４４を延設して、前記基台上の透明ガラスとで密封空間を設けている。
【００３０】
この場合、前記引出部４１の前面には、鍵部４２を取付けてあり、閉鎖時にはロック鍵が前記基台に設けた鍵穴に固定されることによって引出部４１の移動を阻止しているが、顧客よりの要望がある場合には、図１０に示すように担当者が鍵部４２のロックを外すと引出部４１を引くことによって引出部４１と一体になっている陳列部４５を手前に出せるために、顧客への説明が容易になるという効果を有している。
【図面の簡単な説明】
【００３１】
【図１】本発明の脱着型陳列ケースの一体化した斜視図である。
【図２】図１における正面図である。
【図３】図１における側面図である。
【図４】図１のＡ−Ａ’断面図である。
【図５】図１における背面図である。
【図６】図１のＢ−Ｂ’断面図である。
【図７】上部ケースと下部ケースとの接合部における部分拡大図である。
【図８ａ】図１の脱着型陳列ケース内部に設置する陳列ケースの正面図である。
【図８ｂ】図１の脱着型陳列ケース内部に設置する陳列ケースの側面図である。
【図８ｃ】図８ａにおけるＣ−Ｃ’断面図である。
【図９】図１の脱着型陳列ケース内部に設置する別な陳列ケースの斜視図である。
【図１０】図９における陳列ケースの開放状態を示す斜視図である。
【符号の説明】
【００３２】
１・・・上部ケース
２・・・下部ケース
３・・・引出し部
４・・・鍵部
５・・・棚部
６・・・棚止めビス
７・・・陳列ケース
８・・・コード用切欠
９・・・上部照明具
１０・・縦型照明具Ａ
１１・・縦型照明具Ｂ
１２・・縦型照明具Ｃ
１３・・縦型照明具Ｄ
１４・・コンセント
１５・・陳列部
１６・・上部照明具基台
１７・・下部照明具基台
１８・・押え部
１９・・固定具挿入窪み部
２０・・固定具Ａ
２１・・固定具Ｂ
２２・・固定具嵌合孔
２３・・基台
２４・・矩形状上板
２５・・陳列ケース部
２６・・商品止め部
２７・・フック部
２８・・滑り止め板
２９・・陳列部
３０・・鍵部
３１・・底引きレール
３２・・納め溝
３３・・透明部材
３４・・窪み部
３５・・台座載置部
４０・・・基台
４１・・・引出部
４２・・・鍵部
４３・・・基台用ガラス部
４４・・・引出部用ガラス部
４５・・・陳列部
４６・・・ガイドレール
４７・・・透明陳列ケース
【図１】
2007054496.tif 000003
【図２】
2007054496.tif 000004
【図３】
2007054496.tif 000005
【図４】
2007054496.tif 000006
【図５】
2007054496.tif 000007
【図６】
2007054496.tif 000008
【図７】
2007054496.tif 000009
【図８ａ】
2007054496.tif 000010
【図８ｂ】
2007054496.tif 000011
【図８ｃ】
2007054496.tif 000012
【図９】
2007054496.tif 000013
【図１０】
2007054496.tif 000014